(57)【要約】【課題】溶加材供給ノズルの供給口の位置を容易に微調整可能であるとともに、当該ノズルを安定して溶接用トーチに固定できる固定治具を提供すること。【解決手段】溶接部に溶加材を供給する溶加材供給ノズルＢを溶接用トーチあに固定する治具であって、溶加材供給ノズルＢを保持するノズル保持部３と、溶接用トーチＡを挿通して保持するトーチ保持部２とを備え、トーチ保持部２と溶接用トーチＡとの間に、外周円に対して偏心穴を有する偏心リング４を介挿した。【選択図】　　　　図２
2004141915.tif 000002
【特許請求の範囲】
【請求項１】
溶接部に溶加材を供給する溶加材供給ノズルを溶接用トーチに固定する治具であって、
前記溶加材供給ノズルを保持するノズル保持部と、前記溶接用トーチを挿通して保持するトーチ保持部とを備え、
前記トーチ保持部と前記溶接用トーチとの間に、外周円に対して偏心穴を有する偏心リングを介挿したことを特徴とする溶加材供給ノズル用固定治具。
【請求項２】
前記トーチ保持部は、前記溶接用トーチが挿通された前記偏心リングを挟持して保持すると共に、
前記トーチ保持部に、締め付けることにより前記偏心リング及び当該偏心リングを介して前記溶接用トーチを挟持し、その締め付け状態に応じて前記トーチ保持部の前記偏心リングに対する挟持力が調整可能なボルトを設けたことを特徴とする請求項１記載の溶加材供給ノズル用固定治具。
【請求項３】
溶接部に溶加材を供給する溶加材供給ノズルを溶接用トーチに固定する治具であって、
前記溶接用トーチを保持するトーチ保持部と、前記溶加材供給ノズルを挿通して保持するノズル保持部とを備え、
前記ノズル保持部と前記溶加材供給ノズルとの間に、外周円に対して偏心穴を有する偏心リングを介挿したことを特徴とする溶加材供給ノズル用固定治具。
【請求項４】
前記ノズル保持部は、前記溶加材供給ノズルが挿通された前記偏心リングを挟持して保持すると共に、
前記ノズル保持部に、締め付けることにより前記偏心リング及び当該偏心リングを介して前記溶加材供給ノズルを挟持し、その締め付け状態に応じて当該ノズル保持部の前記偏心リングに対する挟持力が調整可能なボルトを設けたことを特徴とする請求項３記載の溶加材供給ノズル用固定治具。
【請求項５】
前記偏心リングの内壁面に、スリット溝を外周方向に向かって形成したことを特徴とする請求項１，２，３又は４記載の溶加材供給ノズル用固定治具。
【請求項６】
前記偏心リングを、それぞれが当該偏心リングの軸方向における両端部の一部を含む部材となるよう複数に分割して形成したことを特徴とする請求項１，２，３，４又は５記載の溶加材供給ノズル用固定治具。
【請求項７】
前記偏心リングの軸方向における端部に、当該偏心リングが挿通する固定治具本体部に形成された穴よりも大きい外径を有するフランジ部を形成したことを特徴とする請求項１，２，３，４，５又は６記載の溶加材供給ノズル用固定治具。
【請求項８】
前記偏心リングの両端部に、前記フランジ部を形成したことを特徴とする請求項７記載の溶加材供給ノズル用固定治具。
【発明の詳細な説明】
【０００１】
【発明の属する技術分野】
本発明は、溶加材供給ノズル用固定治具にかかり、特に、溶加材供給ノズルを溶接用トーチに固定すると共に、当該溶接用トーチに対する溶加材供給ノズルの先端部の位置を容易に微調整することができる溶加材供給ノズル用固定治具に関する。
【０００２】
【従来の技術】
金属と金属とを接合する方法として、金属材料と電極との間に電気放電を発生させ、その熱を利用して行うアーク溶接がある。このアーク溶接の中でも、母材（ワーク）に溶加材（フィラー）を溶接用トーチの外部から供給して、アーク時の火花の発熱によって溶加材を溶接部にて溶融し、その凝固と共に接合部を接合するＴＩＧ溶接、プラズマ溶接がある。ここで、ＴＩＧ溶接は、不活性ガス雰囲気中で、タングステン電極と母材との間に電流を使ってアークを発生させ、そのアーク熱により母材及び溶接棒を溶解して接合する方法である。これに対して、プラズマ溶接は、図６に示すように、タングステン電極１０１からのプラズマアーク１０２を水冷インサートチップ１０３の孔を通過させて母材１０４に移行させる。すると、電極１０１から発生したアーク１０２は、水冷インサートチップ１０３によってウォール効果およびサーマルピンチ効果を受けるため、当該アーク１０２は絞られ、エネルギー密度の高いアークとなり、インサートチップ孔から噴出する。そして、噴出したアークは、シールドガス１０５によってさらにサーマルピンチ効果を受けるため、さらに絞られて母材１０４に移行する。このため、エネルギー密度が高く、安定性と方向性に優れたアークを得ることでき、高速度、低電流溶接が可能となる。
【０００３】
そして、上述したＴＩＧ溶接やプラズマ溶接においては、アークに対して溶加材（図６の符号１０６参照）を供給するが、当該溶加材を安定して供給すべく、溶接用トーチに溶加材供給ノズルを固定して取り付ける必要がある。このとき、折角ノズルをトーチに固定しても、その位置が適正な位置でないと良好に溶加材を供給することができず、効率よく溶接を行うことができないという問題が生じる。特に、上述したプラズマ溶接では、アークが細いため、その位置には厳密さが要求される。従って、溶加材供給ノズルを溶接用トーチに固定した後であっても、当該ノズルの位置を容易に微調整することができ、かつ、安定して固定することができる溶加材供給ノズル用固定治具が望まれる。
【０００４】
そして、従来より、特許文献１に示すような溶加材供給ノズル用固定治具２００が開示されている。その溶加材供給ノズル用固定治具２００を図７に示す。この図に示すように、溶接用トーチ２０１の電極２１０からアークが母材の溶接部に放出され、当該溶接部に溶加材供給ノズル２０２の先端部から溶加材が供給される。このとき、溶加材供給ノズル２０２は、トーチ２０１に固定された支持杆２０３にネジ２０４止めされた固定治具２００によりその位置が固定されている。そして、ネジ２０４を緩めることにより溶加材供給ノズル２０２の固定位置を調整し、溶加材をアークに供給する位置の微調整を図ることができる。
【０００５】
また、従来より用いられている他の溶加材供給ノズル用固定治具３００を、図８に示す。この図に示すトーチ３０１に溶加材供給ノズル３０２を固定する治具３００は、ピンジョイント３０３と長穴３０４とを用いたボルト固定式にすることにより、ピンジョイント３０３を緩めて長穴３０４に沿ってノズル３０２の固定角度を揺動させることができる（矢印３０５参照）。これにより、ノズル先端部の位置を微調整することができるというものである。
【０００６】
【特許文献１】
実開平２−１１８６７０号公報（第１図）
【０００７】
【発明が解決しようとする課題】
しかしながら、上記従来例には以下のような不都合があった。すなわち、上記いずれの固定治具であっても、ネジ止めにより溶接用トーチに対する溶加材供給ノズルの位置を固定していたために、溶接時に生じる振動、例えば、ウェービング動作時に生じる振動によりネジが緩み、溶加材供給ノズルの位置ずれが生じるという問題が生じていた。特に、図８に示すノズル固定治具では、長穴を形成し、当該長穴が溶加材供給ノズルの揺動ガイドとなっているためにノズルの可動（角度変更）が容易なものの、振動による位置ずれが生じやすくなる。またその構造によっては、固定のための部品点数も増加し、ノズル位置を調整する作業が困難となり、固定部分であるトーチの重量が増加し、さらには、製造コストが増加するという問題も生じていた。
【０００８】
【発明の目的】
本発明は、上記従来例の有する不都合を改善し、特に、溶加材供給ノズルの溶加材供給口の位置を容易に微調整可能であると共に、当該ノズルを安定して溶接用トーチに固定することができる溶加材供給ノズル用固定治具を提供することをその目的とする。
【０００９】
【課題を解決するための手段】
そこで、本発明では、溶接部に溶加材を供給する溶加材供給ノズルを溶接用トーチに固定する治具であって、溶加材供給ノズルを保持するノズル保持部と、溶接用トーチを挿通して保持するトーチ保持部とを備え、トーチ保持部と溶接用トーチとの間に、外周円に対して偏心穴を有する偏心リングを介挿した、という構成を採っている。
【００１０】
このような構成にすることにより、溶接用トーチが偏心リングを介して溶加材供給ノズル用固定治具に保持され、当該治具には溶加材供給ノズルも保持されているため、ノズルがトーチに固定された状態となる。このとき、偏心リングを所定角度回すことにより、当該リングの内穴である偏心穴の中心が外周円の中心に対して移動するため、内穴に挿通している溶接用トーチの軸がトーチ保持部の中心に対して移動することとなる。すると、この溶接用トーチと、固定治具に保持されている溶加材供給ノズルとの軸の位置関係が相対的に移動することとなり、溶加材供給ノズルの先端部の位置を、偏心リングを回転させるという容易な操作により微調整することができ、作業性の向上を図ることができる。
【００１１】
そして、このとき、トーチ保持部は、溶接用トーチが挿通された偏心リング及び当該偏心リングを介して溶接用トーチを挟持して保持すると共に、トーチ保持部に、締め付けることにより偏心リングを挟持してその締め付け状態に応じて当該トーチ保持部の偏心リングに対する挟持力が調整可能なボルトを設けることとすると望ましい。これにより、偏心リングが回転可能となるほどボルトを緩めることで、当該リングを回転させてノズル先端部の位置を調整可能となるため、その操作が容易となる。また、固定治具自体の構成も簡略化され、部品点数が減少するため、製造コストの削減を図ることができる。
【００１２】
また、本発明では、上述したような偏心リングを、固定治具本体部のうち、溶加材供給ノズルを挿通して保持する部分であるノズル保持部に備えてもよい。このようにしても、上述したように偏心リングを回転させることにより、この溶接用トーチと溶加材供給ノズルとの軸の位置関係を相対的に移動させることができ、溶加材供給ノズルの先端部の位置を容易に微調整することができる。
【００１３】
また、上記偏心リングの内壁面に、スリット溝を外周方向に向かって形成してもよい。これにより、スリット溝の空洞部分の存在により、偏心リング自体を撓ませることが容易となる。従って、偏心リングの内穴に挿通されて保持される溶接用トーチあるいは溶加材供給ノズルの被保持部分の外径が、リング内穴の内径に対して完全に同一でなく、多少の寸法誤差があっても、当該リングを撓ませた状態でリングと共にトーチあるいはノズルを保持することにより、これらを安定して固定することができる。これにより、あらゆるトーチやノズルに対応することができ、汎用性の向上を図ることができる。
【００１４】
そして、上記のことは、偏心リングを、それぞれが当該偏心リングの軸方向における両端部の一部を含む部材となるよう複数に分割して形成しても同様の効果を得ることができ、このようにすると、さらに、偏心リングを治具本体部に装着することがより容易になるという利点もある。また、偏心リングを分割して形成すると共に、上記スリット溝を形成することとすると、当該スリット溝付近でリング自体をより容易に撓ませることができ、トーチやノズルをより安定して保持することができると共に、さらにあらゆる軸径を有するトーチやノズルに対応することができる。特に、偏心リングの内穴の径よりも大きい径を有するトーチやノズルに対しては、その効果が顕著である。
【００１５】
さらに、偏心リングの軸方向における端部に、当該偏心リングが挿通する固定治具本体部に形成された穴よりも大きい外径を有するフランジ部を形成してもよい。これにより、フランジ部は固定治具本体のトーチ保持部あるいはノズル保持部の偏心リングが挿通する穴から突出した状態となるため、当該フランジ部を掴むことにより容易にリング自体を回転させることができ、ノズルの微調整を行うことができる。また、上記フランジ部を、偏心リングの軸方向における両端部に形成することにより、上記効果を有すると共に、リング回転作業時に当該リングが固定治具本体から脱落することを抑制することができ、さらなる作業性の向上を図ることができる。
【００１６】
【発明の実施の形態】
〈第１の実施形態〉
以下、本発明の第１の実施形態を、図１乃至図４を参照して説明する。図１は、本発明である溶加材供給ノズル用固定治具を用いて、溶加材供給ノズルを溶接用トーチに固定したときの様子を示す概略図である。図２は、溶加材供給ノズル用固定治具の構成を示す構成図である。図３は、溶加材供給ノズル用固定治具の断面図である。図４は、溶加材供給ノズル用固定治具を用いた場合における溶加材供給ノズルの位置を調整するときの様子を示す説明図である。
【００１７】
（構成）
図１に示すように、本発明である溶加材供給ノズル用固定治具（以下、固定治具という）は、母材に対してアークを放出する箇所である溶接部に溶加材を供給する溶加材供給ノズルＢ（以下、ノズルという）を、溶接用トーチＡ（以下、トーチという）に固定する治具である。このように、トーチＡから放出されるアークに対して常に同一箇所に安定して溶加材を供給するようノズルＢの先端部の位置を固定することで、安定した溶接を行うことができる。
【００１８】
そして、本実施形態における固定治具は、ノズルＢを保持するノズル保持部３と、トーチＡを挿通して保持するトーチ保持部２とから成る溶加材供給ノズル用固定治具本体部１と、トーチ保持部２と溶接用トーチＡとの間に介挿される外周円に対して偏心穴を有する偏心リング４と、により構成される。以下、これを詳述する。
【００１９】
（溶加材供給ノズル用固定治具本体部）
図２（ａ）に示す溶加材供給ノズル用固定治具本体部１（以下、本体部という）は、所定の厚さを有する板状部材にて形成されており、その中央付近に板幅の狭いくびれ部１１が形成されている。そして、このくびれ部１１を挟んで一方側に溶接用トーチＡを保持するトーチ保持部２が形成され、他方側に溶加材供給ノズルを保持するノズル保持部３が形成されている。そして、各保持部２，３は、略正方形状に形成されている。ちなみに、本体部１の厚さは、例えば２［ｃｍ］であり、後述するようにトーチＡを安定して挟持することに十分な厚さである。但し、本体部１の形状や寸法は、上記のものに限定されない。
【００２０】
（トーチ保持部）
トーチ保持部２は、上述したように、略正方形状の板部材である。そして、そのほぼ中心に、後述するようにトーチＡが挿通された偏心リング４を挿通して、当該リング４と共にトーチＡを保持する円形状のリング保持穴２１が形成されている。このリング保持穴２１は、偏心リング４の外径とほぼ同一の径にて形成されており、望ましくは偏心リングの外径よりも小さい径である。そして、このリング保持穴２１の中心は、ほぼ本体部１の幅方向の中心線上に位置する。
【００２１】
また、トーチ保持部２は、くびれ部１１側とその反対側とにほぼ半分に分割されている。すなわち、略正方形のトーチ保持部２が、図２（ａ）において上下方向に２つの略凹型部材２Ａ，２Ｂに分割されている。但し、くびれ部１１側の凹型部材２Ｂは、くびれ部１１及びノズル保持部３の一部３Ｂと一体化しているため厳密には凹型ではないが、ここでは説明の便宜上、凹型部材２Ｂとして説明する。そして、これら分割された凹型部材２Ａ，２Ｂにはボルト穴（図示せず）が形成されており、後述する図３に示すように一方の凹型部材２Ａ側からボルトを挿通して、分割された各部材２Ａ，２Ｂを締結することにより、リング保持穴２１に挿通した偏心リング４をトーチ保持部２に挟持して保持することができる。
【００２２】
但し、トーチ保持部２は、上述した図２（ａ）に示す構成であることに限定されない。例えば、トーチＡが挿通して固定された偏心リング４を、外周方向から挟持することなくリング保持穴２１に嵌合して固定治具本体部１に固定する構成であってもよい。すなわち、トーチＡの被保持部の外径と、偏心リング４の内穴の外径をほぼ同一の径とすると共に、さらに、偏心リング４の外径とリング保持穴２１の内径をもほぼ同一の径として、これらを嵌合させて固定してもよい。
【００２３】
（ノズル保持部）
また、上述したトーチ保持部２のくびれ部１１を挟んで反対側に位置するノズル保持部３も、上記トーチ保持部２とほぼ同様の構成となっている。但し、本実施形態では、ノズルＢの径はトーチＡよりも小さく（図１参照）、また、ノズルＢには偏心リングを装着しないため、全体的な形状としてトーチ保持部２よりも小さい略正方形状にて形成されている。そして、その中心付近には、ノズルＢを挿通して保持する、当該ノズルＢの軸部分の外径とほぼ同一あるいはノズルＢの外径よりも小さい径の円形状のノズル保持穴３１が形成されている。このノズル保持穴３１の中心は、本体部１の幅方向のほぼ中心に位置するため、上述したリング保持穴２１の中心と同様に、本体部１の幅方向のほぼ中心線上に位置する。
【００２４】
さらに、ノズル保持部３は、トーチ保持部２と同様にほぼ半分に分割されており、図２（ａ）において上下方向に２つの略凹型部材３Ａ，３Ｂに分割されている。そして、これらにもボルト穴が形成されていて、一方の凹型部材３Ａ側からボルトを挿通して締結することにより、ノズルＢを挿通して保持することができる（図３（ａ）参照）。
【００２５】
但し、ノズル保持部３は、上述した図２（ａ）に示す構成であることに限定されない。例えば、ノズルＢを嵌合して固定治具本体部１に固定する構成であってもよい。すなわち、ノズルＢの外径と、ノズル保持穴３１の内径とがほぼ同一の径であるという構成としてもよい。
【００２６】
（偏心リング）
次に、上述したトーチ保持部２に挿通されて保持される偏心リング４について説明する。図２（ｂ）に示すように、偏心リング４は略円筒形状であり、その断面における外周形状は円形状である。この偏心リング４は、トーチ保持部２のリング保持穴２１に収められて保持されることから、その外径はリング保持穴２１の外径とほぼ同一であるか、それよりも大きい径である。そして、この偏心リング４の軸方向の長さは、本体部１の肉厚とほぼ同一の長さである。
【００２７】
また、偏心リング４は円筒形状であることから、当然に中空の内周円４１が形成されているが、この内周円４１の中心は外周円に対して偏心して形成され、外周円と内周円４１との中心が一致しておらず、すなわち、当該内周円４１は偏心穴となっている。従って、この偏心リング４の肉厚は、その位置によって異なる。そして、内周円４１にはトーチＡが挿通し、当該トーチＡはリング４を介してトーチ保持部２にて保持されるため、この内周円４１の径は、トーチＡの被保持部分の径とほぼ同一に形成されている。但し、後述するように、偏心リング４にスリット溝４３が形成されていたり、リング自体が分割されて形成されている場合には、トーチＡの被保持部分の径と完全に一致していなくても問題はない。
【００２８】
また、略円筒形状の偏心リング４の軸方向における両端部の外周は、当該リング４の外周円よりも大きい径になっている。すなわち、リング４の両端部は、外周に向かって突出する略円環状の平面板形状となっており、フランジ部４２が形成されている。従って、偏心リング４の軸線に沿った断面の外周付近は、コ字状になっている（後述する図３（ｂ）参照）。このとき、リング両端部にある各フランジ部４２の距離は、後にはめ込まれる本体部１の肉厚と同じか、それよりも長く形成されている。但し、このフランジ部４２は、偏心リング４の一方の端部のみに形成されていてもよく、場合によっては、いずれの端部にも形成されていなくてもよい。
【００２９】
また、偏心リング４の内周面には、その外周方向に向かう線状の切除部、すなわち、スリット溝４３が形成されている。このスリット溝４３は、偏心リング４３の両端部を結ぶよう、中心軸に沿って一様に形成されている。そして、このスリット溝４３が、偏心リング４に上記フランジ部４２が形成されている場合には、当該フランジ部４２外周まで完全に通ずるものではないが、筒部分の外周まで通じていてもよい。本実施形態では、図２（ｂ）に示すようにそのような形状となっている。そして、このような形状であると、スリット溝４３の端部すなわちフランジ部４２の外周部付近で撓むことが可能となる。さらに、このスリット溝４３が完全に偏心リング４の外周方向に貫通すると、当該偏心リング４は分割された形状となる。そして、本実施形態における偏心リング４は、図２（ｂ）に示すように、当該偏心リングの両端部の一部を含む部材となるよう中心軸を通る平面にてほぼ半分に分割された２つの略半円筒部材４Ａ，４Ｂからなり、それぞれの部材４Ａ，４Ｂのほぼ中央にスリット溝４３が形成されている。
【００３０】
（溶加材供給ノズル用固定治具）
次に、上述した本体部１に偏心リング４を装着したときの固定治具の構成を、図２乃至図３を参照して説明する。まず、図２を参照して、本体部１に偏心リング４を取り付ける際の動作を説明する。なお、トーチＡは図示していないが、トーチＡも同時に取り付けるため、それを考慮して説明する。
【００３１】
図２に示すように、偏心リング４は、矢印Ａ１に示すよう本体部１のリング保持穴２１にはめ込まれるが、当該リング４にはフランジ部４２が形成されているため、トーチ保持部２を分割した状態ではめ込む。すなわち、トーチ保持部２のボルト２２を外し（図３（ａ）参照）、分割された部材である一方の凹型部材２Ａを取り外す。そして、他方の凹型部材２Ｂのリング保持穴２１部分に、分割された偏心リング４の一方の半筒状部材４Ｂを嵌合する。その後、リング保持穴２１に収められた偏心リング４の内周円４１部分に、トーチＡの被保持部分を配設し、その上から偏心リング４の他方の半筒状部材４Ａを被せ、さらにその上からトーチ保持部２の一方の凹型部材２Ｂを被せる。そして、ボルト２２を締め付けることにより、トーチ保持部２に偏心リング４を介してトーチＡが保持される（図４参照）。また、同様にして、ノズル保持穴３１にはノズルＢが挿通された状態で収められ、ボルト３３で締め付けられることにより本体部１のノズル保持部３に保持される。
【００３２】
このようにして本体部１に偏心リング４が装着されたときの固定治具（トーチＡは図示せず）を図３に示すが、図３（ａ）は正面から見たときの部分断面図である。また、この図に示すＡ−Ａ線における断面図を図３（ｂ）に示す。この図に示すように、トーチ保持部２に形成されたリング保持穴２１の中心Ｃ１と、ノズル保持部３に形成されたノズル保持穴３１の中心Ｃ２とは、本体部１のほぼ中心線上（略Ａ−Ａ線上）に位置するものの、偏心リング４の内周円の中心Ｃ３は、リング保持穴２１の中心Ｃ１とは異なる位置にあり、本体部１の幅方向における中心線上から外れた位置にある。そして、本体部１に装着した偏心リング４を図２（ｂ）の矢印Ａ２に示すよう回転させることにより、その内周円４１（偏心穴）の中心Ｃ３位置は本体部１に対して移動し、その軌跡は図３（ａ）に示す点線ＣＬのようになる。従って、リング４の内周円４１に挿通されているトーチＡは、その位置が本体部１に対して移動することとなり、これにより、ノズル保持部３に保持されているノズルとの相対位置も移動することとなる。
【００３３】
このときトーチＡは、偏心リング４を介してトーチ保持部２に保持されているが、ボルト２２によって締め付けられることにより分割されたトーチ保持部２の各部分２Ａ，２Ｂの距離が狭まるため、偏心リング４がトーチ保持部２に挟持された状態となり、これにより、さらに内側にあるトーチＡが偏心リング４に挟持されることとなる。具体的には、例えば、偏心リング４の内周円４１がトーチＡの被保持部分の径よりも小さく形成されている場合には、トーチ保持部２のボルト２２を締めると、分割された偏心リング４の各部材４Ａ，４Ｂの距離が狭まり、また、スリット溝４３の距離も狭まることにより、偏心リング４の空間部の面積が狭まり、これにより、トーチＡを挟持して保持することができる。逆に、偏心リング４の内周円４１がトーチＡの被保持部分の径よりも大きく形成されている場合には、僅かに大きい程度であればボルト２２の締め付けによりリング４のスリット溝４３の幅が狭まり、これによりトーチＡを挟持することができる。このように、偏心リング４を分割して形成したり、また、スリット溝４３を形成して当該形成箇所が撓むことにより、トーチＡの軸径とトーチ保持穴２１の内径とが一致していなくても、トーチＡを確実に固定することができ、あらゆる径を有するトーチＡに柔軟に対応することができる。
【００３４】
そして、図３（ｂ）に示すように、偏心リング４のフランジ部４２は本体部１の外部に突出しているため、ボルト２２の締め付けを緩めてトーチ保持部２による偏心リング４に対する挟持力を弱め、当該リング４が回転可能な状態とすることで、容易に当該リング４を回転させることができる。これにより、トーチＡとノズルＢとの位置関係の微調整を容易に行うことができ、作業性の向上を図ることができる。このとき、偏心リング４の両端にあるフランジ部４２が本体部１の外部に突出していてリング保持穴２１よりも大きく形成されているため、トーチ保持部２の挟持力を弱めたとしても、偏心リング４がリング保持穴２１から脱落することを防止することができる。従って、さらなる作業性の向上を図ることができる。
【００３５】
（動作）
上述のようにして、固定治具によりトーチＡに固定されたノズルＢの位置を微調整する際における当該ノズルの動作範囲を、図４を参照して説明する。まず、トーチ保持部２のボルト２２を緩めることで、矢印Ｄ１に示す方向にトーチＡに沿って固定治具を移動することができ、トーチＡの軸方向に対するノズル先端部の位置を調整することができる。そして、ボルト２２を緩めた状態で、偏心リング４を回転させることにより、ノズルＢの軸中心に対するトーチＡの軸中心の位置を移動することができる。すなわち、結果としてトーチＡに対してノズルＢの軸中心の位置を移動することができる。具体的には、偏心リング４が偏心している距離だけ、トーチＡとノズルＢとの軸間距離を変更することができると共に（符号Ｄ２の矢印参照）、トーチＡの軸中心または偏心リング４の外周円中心を回転中心とした左右方向（符号Ｄ３の矢印参照）に移動することができ、ノズルＢの先端部の微調整を容易に行うことができる。そして、その後も強固にトーチＡ及びノズルＢの位置関係を維持して固定することができる。但し、実際には、偏心リング４を回転させると、図３の点線ＣＬに示すようにノズルＢ先端部は円軌跡上を移動するが、結果として上下左右方向に移動可能となる。
【００３６】
このとき、これらの操作は、トーチ保持部２のボルト２２を１本緩めることでも行うことができるため、その作業は容易であり、かつ、迅速に調整を行うことができる。
【００３７】
また、本発明の構成は、部品点数も少なくシンプルであるため、製造コストの削減を図ることができる。特に、トーチＡをウェービング動作させる場合には、トーチＡにかかる荷重が少ないことが望ましいため、部品店数削減により軽量である本発明の固定治具は好適である。
【００３８】
〈第２の実施形態〉
以下、本発明の第２の実施形態について図５を参照して説明する。図５（ａ），（ｂ）は、それぞれ本発明である固定治具を用いてトーチＡとノズルＢを固定したときの一例を示す概略図である。
【００３９】
図５（ａ）に示す固定治具は、上述した第１の実施形態とその構成は同一である。かかる固定治具を、この図に示すように、曲折したトーチＡやノズルＢを固定するために用いてもよい。このようにしても、トーチＡに対するノズルＢの先端部の位置を容易に微調整することができる。
【００４０】
また、図５（ｂ）に示す固定治具は、その本体部１がくびれ部１１付近で曲折した形状となっている。このような形状とすることで、上記同様、ノズルＢ先端部の微調整を容易に行うことができると共に、トーチＡに対してノズルＢを別の方向から導くことができ、あらゆる溶接装置に柔軟に対応することができ、汎用性の向上を図ることができる。
【００４１】
〈第３の実施形態〉
以下、本発明の第３の実施形態について説明する。第３の実施形態における固定治具は、基本的な構成は上述した第１の実施形態と同様である。但し、本実施形態においては、偏心リング４がトーチ保持部２ではなくノズル保持部３に備えられている。すなわち、ノズルＢが偏心リング４を介してノズル保持部３に保持されることとなる。
【００４２】
このようにしても、偏心リング４を回転させることにより、トーチＡに対するノズルＢの先端部の位置を容易に微調整することができ、作業性の向上を図ることができる。
【００４３】
【発明の効果】
本発明は、以上のように構成され機能するので、これによると、溶接用トーチを外周円に対して偏心穴を有する偏心リングを介して溶加材供給ノズル用固定治具に固定したため、偏心リングを所定角度回すことにより、当該リングの偏心穴の中心が外周円の中心に対して移動し、内穴に挿通している溶接用トーチの軸がトーチ保持部の中心に対して移動することとなり、結果として、この溶接用トーチと、固定治具に保持されている溶加材供給ノズルとの軸の位置関係が相対的に移動することとなるため、溶加材供給ノズルの先端部の位置を、偏心リングを回転させるという容易な操作により微調整することができ、作業性の向上を図ることができる。
【００４４】
このとき、トーチ保持部に、締め付けることにより偏心リングを挟持してその締め付け状態に応じて当該トーチ保持部の偏心リングに対する挟持力が調整可能なボルトを設けることにより、偏心リングが回転可能となるほどボルトを緩めることで、当該リングを回転させてノズル先端部の位置を調整可能となるため、さらなる調整作業の容易化を図ることができる。また、固定治具自体の構成も簡略化されて部品点数が減少するため、トーチにかかる荷重が減少して当該トーチの負担の軽減を図ることができ、さらには、製造コストの削減を図ることができる。
【図面の簡単な説明】
【図１】本発明の第１の実施形態おいて、溶加材供給ノズルを溶接用トーチに固定したときの様子を示す概略図である。
【図２】図２は、本発明の第１の実施形態における構成図である。図２（ａ）は、溶加材供給ノズル用固定治具本体部を示す斜視図であり、図２（ｂ）は、偏心リングを示す斜視図である。
【図３】図３は、本発明の第１の実施形態における断面図である。図３（ａ）は、正面から見たときの部分断面図を示し、図３（ｂ）は、図３（ａ）のＡ−Ａ線における断面図である。
【図４】本発明の第１の実施形態における溶加材供給ノズルの位置を調整する際の当該ノズルの動作を示す説明図である。
【図５】図５（ａ），（ｂ）は、それぞれ本発明の第２の実施形態における溶加材供給ノズル用固定治具を用いて、溶接トーチと溶加材添加ノズルを固定したときの一例を示す概略図である。
【図６】溶接用トーチ及び溶加材供給用ノズルを用いて行うアーク溶接の説明図である。
【図７】従来例におけるアーク溶接装置の構成を示す概略図である。
【図８】従来例におけるアーク溶接装置の構成を示す概略図である。
【符号の説明】
１　溶加材供給ノズル用固定治具本体部
２　トーチ保持部
３　ノズル保持部
４　偏心リング
２１　リング保持穴
２２，３３　ボルト
３１　ノズル保持穴
４１　内周円（偏心穴）
４２　フランジ部
４３　スリット溝
Ａ　溶接用トーチ
Ｂ　溶加材供給ノズル
【図１】
2004141915.tif 000003
【図２】
2004141915.tif 000004
【図３】
2004141915.tif 000005
【図４】
2004141915.tif 000006
【図５】
2004141915.tif 000007
【図６】
2004141915.tif 000008
【図７】
2004141915.tif 000009
【図８】
2004141915.tif 000010